(57)【要約】【課題】容易に作製することができ、かつ、安全に使用することができる装身具を提供する。【解決手段】装身具１は、例えば、髪飾り又はブローチとして用いることができるものであり、飾り部１０と、飾り部１０を身に着けるための留め具２０とを備えている。飾り部１０は、紙粘土よりなる土台部１１に装飾部品１２が配設された構成を有している。土台部１１の表面には、例えば、合成樹脂よりなる被膜１３が設けられていることが好ましい。土台部１１には、装飾部品１２の一つとして、例えば、糸で編んだ編物１２Ａが配設されている。【選択図】図１
0003205061.tif 000002
【実用新案登録請求の範囲】
【請求項１】
紙粘土よりなる土台部に装飾部品を配設した飾り部を備えたことを特徴とする装身具。
【請求項２】
前記土台部の表面に合成樹脂よりなる被膜が設けられたことを特徴とする請求項１記載の装身具。
【請求項３】
前記土台部に、前記装飾部品の一つとして、糸で編んだ編物が配設されたことを特徴とする請求項１又は請求項２記載の装身具。
【請求項４】
前記土台部に、前記装飾部品の一つとして、ワイヤーを用いて形成したワイヤークラフト部品を配設したことを特徴とする請求項１から請求項３のいずれか１に記載の装身具。
【考案の詳細な説明】
【技術分野】
【０００１】
本考案は、髪飾りやブローチなどの装身具に関する。
【背景技術】
【０００２】
近年、ワイヤーを用いたワイヤークラフトが広く行われている。ワイヤークラフトには様々なものがあるが、例えば、髪飾りやブローチ等の装身具にも用いられている（例えば、特許文献１参照）。髪飾りやブローチの一例を挙げると、例えば、ワイヤーで複数個の小さな花等の装飾部品を作り、それらを束ねてワイヤーの端部を糸やテーピングで巻き、髪飾りやブローチの飾り部とする。このようなワイヤークラフトは、一つ一つの装飾部品の形、色、又は、配置を自由に創作することができるので、作る人により、全く異なった趣を有するものを作ることができる。また、デザイン性が高く、装身具としても価値の高いものが得られる。
【先行技術文献】
【特許文献】
【０００３】
【特許文献１】特開平８−２１９５号公報
【考案の概要】
【考案が解決しようとする課題】
【０００４】
しかしながら、髪飾りやブローチなどの装身具を作成する場合には、大きさが小さいので細かな作業となり、ワイヤーの端部を糸やテーピングで巻いて固定することが難しかった。その結果、使用しているうちに、装飾部品をまとめた部分にゆるみが生じ、ぐらついて糸やテーピングが取れてしまう場合があり、ワイヤーの先端部で傷ついてしまう恐れがあった。
【０００５】
本考案は、このような問題に基づきなされたものであり、容易に作製することができ、かつ、安全に使用することができる装身具を提供することを目的とする。
【課題を解決するための手段】
【０００６】
本考案の装身具は、紙粘土よりなる土台部に装飾部品を配設した飾り部を備えたものである。
【考案の効果】
【０００７】
本考案によれば、紙粘土よりなる土台部に装飾部品を配設するようにしたので、容易かつ自由に装飾部品を配置することができる。また、ワイヤーなどを用いた装飾部品の端部を土台部の中に入れるようにすれば、装飾部品の端部が露出することを抑制することができ、安全性を高めることができる。更に、土台部を紙粘土により形成するようにしたので、重さを軽くすることができ、装身具としての使いやすさを向上させることができると共に、土台部の形状も容易かつ自由に変えることができる。
【０００８】
また、土台部の表面に合成樹脂よりなる被膜を形成するようにすれば、土台部の強度を向上させることができると共に、土台部の表面に光沢を持たせることができ、デザインの幅を広げることができる。
【０００９】
更に、土台部に、装飾部品の一つとして、糸で編んだ編物を配設するようにすれば、土台部のハードな質感と、編物の柔らかく温かい質感とを融合させることができ、デザイン性を高めることができる。
【図面の簡単な説明】
【００１０】
【図１】本考案の一実施の形態に係る装身具の構成を表す断面図である。
【図２】図１に示した装身具における飾り部の構成及び製造工程を表す写真である。
【考案を実施するための形態】
【００１１】
以下、本考案の実施の形態について、図面を参照して詳細に説明する。
【００１２】
図１は、本考案の一の実施の形態に係る装身具１の断面構成を表すものである。図２は、装身具１の飾り部１０の構成及び製造工程を表すものである。この装身具１は、例えば、髪留めやかんざし等の髪飾り、又は、ブローチとして好ましく用いることができる。この装身具１は、例えば、飾り部１０と、飾り部１０に配設され、身体や衣類等の取付対象に取り付けるための留め具２０とを備えている。
【００１３】
飾り部１０は、紙粘土よりなる土台部１１に装飾部品１２が配設された構成を有している。土台部１１を紙粘土で構成することにより、重さを軽くすることができ、また、土台部１１の形状も容易かつ自由に変えることができるようになっている。土台部１１は、デザインに応じて着色してもよい。
【００１４】
土台部１１の表面には、例えば、合成樹脂よりなる被膜１３が設けられていることが好ましい。土台部１１の強度を向上させることができるからである。被膜１３を構成する合成樹脂としては、例えば、アクリル樹脂が好ましい。取り扱いが容易で水に強いからである。また、被膜１３を設けた場合には、土台部１１の表面に光沢を持たせることができ、紙粘土とは異なる質感のデザインとすることができる。なお、土台部１１の表面を光沢のないマットな質感としたい場合には、被膜１３を設けずに土台部１１をそのまま用いるようにしてもよく、デザインに応じて使い分けることができる。
【００１５】
土台部１１には、装飾部品１２の一つとして、例えば、糸で編んだ編物１２Ａが配設されることが好ましい。土台部１１のハードな質感と、編物１２Ａの柔らかく温かい質感とを融合させることができ、デザイン性を高めることができるからである。編物１２Ａの糸は、合成繊維でも天然繊維でもよく、デザインに応じて任意に選択することができる。また、編物１２Ａには、デザインに応じて、ビーズなどを編み込むようにしてもよい。土台部１１に対する編物１２Ａの取り付けは、例えば、土台部１１に貫通孔１１Ａを開けて編物１２Ａを結びつけ、必要に応じて接着剤で固定するようにしてもよく、又は、単に、接着剤で固定するようにしてもよい。
【００１６】
土台部１１には、また、装飾部品１２の一つとして、例えば、ワイヤーを用いて形成したワイヤークラフト部品１２Ｂを配設してもよい。ワイヤークラフト部品１２Ｂは、ワイヤーのみで構成してもよいが、ワイヤーで形成した環状部分に塗料や合成樹脂等により膜を形成するようにしてもよい。塗料や合成樹脂は、デザインに応じて着色してもよい。土台部１１に対するワイヤークラフト部品１２Ｂの取り付けは、例えば、土台部１１に穴１１Ｂを開けてワイヤークラフト部品１２Ｂの端部を入れ、接着剤で固定するようにしてもよく、又は、土台部１１にワイヤークラフト部品１２Ｂの端部を刺して接着剤で固定するようにしてもよい。
【００１７】
この装身具１は、例えば、次のようにして作製することができる。まず、紙粘土で任意の形状の土台部１１を作製する。次いで、土台部１１の表面に、必要に応じて、合成樹脂を塗布し、被膜１３を形成する。続いて、例えば、土台部１１に貫通孔１１Ａを開け、別途作製した編物１１Ａを取り付ける。次に、例えば、土台部１１に穴１１Ｂを開け、別途作製したワイヤークラフト部品１２Ｂを取り付ける。その後、例えば、土台部１１の裏側に留め具２０を取り付ける。これにより装身具１が得られる。
【００１８】
このように本実施の形態によれば、紙粘土よりなる土台部１１に装飾部品１２を配設するようにしたので、容易かつ自由に装飾部品１２を配置することができる。また、ワイヤーなどを用いた装飾部品１２の端部を土台部１１の中に入れるようにすれば、装飾部品１２の端部が露出することを抑制することができ、安全性を高めることができる。更に、土台部１１を紙粘土により形成するようにしたので、重さを軽くすることができ、装身具１としての使いやすさを向上させることができると共に、土台部１１の形状も容易かつ自由に変えることができる。
【００１９】
また、土台部１１の表面に合成樹脂よりなる被膜１３を形成するようにすれば、土台部１１の強度を向上させることができると共に、土台部１１の表面に光沢を持たせることができ、デザインの幅を広げることができる。
【００２０】
更に、土台部１１に、装飾部品１２の一つとして、糸で編んだ編物１２Ａを配設するようにすれば、土台部１１のハードな質感と、編物１２Ａの柔らかく温かい質感とを融合させることができ、デザイン性を高めることができる。
【００２１】
以上、実施の形態を挙げて本考案を説明したが、本考案は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【符号の説明】
【００２２】
１…装身具、１０…飾り部、１１…土台部、１１Ａ…貫通孔、１１Ｂ…穴、１２…装飾部品、１２Ａ…編物、１２Ｂ…ワイヤークラフト部品、１３…被膜、２０…留め具
【図１】
0003205061.tif 000003
【図２】
0003205061.tif 000004